(57)【要約】【課題】長期間の使用に耐えるとともに、構成が簡単でかつ安価なカーテン開閉装置を提供することを目的とする。【解決手段】カーテン開閉装置１０は、円筒状の軸１１と、軸１１の外周部に形成されたねじ溝１２と、ねじ溝１２に係合するねじ係合部１４を内周部に有する先端リング１３ａと、軸１１を回転するためのモータとを含む。先端リング１３ａにはカーテン１６の上端部を保持する輪１５ａが設けられている。【選択図】図１
2011206147.tif 000002
【特許請求の範囲】
【請求項１】
円筒状の軸と、
前記軸の外周部に形成されたねじ部と、
前記ねじ部に係合するねじ係合部とを含み、
前記ねじ係合部にはカーテンの一部を保持するための保持部が設けられ、
前記軸を回転するための回転軸駆動手段とを含む、カーテン開閉装置。  
【請求項２】
前記軸の外周部に形成されたねじ部は、前記軸の外周部に形成された溝である、請求項１に記載のカーテン開閉装置。
【請求項３】
前記軸の外周部に形成されたねじ部は、前記軸の外周部に形成された突起である、請求項１に記載のカーテン開閉装置。
【請求項４】
前記回転軸駆動手段はモータを含む、請求項１〜３のいずれかに記載のカーテン開閉装置。
【発明の詳細な説明】
【技術分野】
【０００１】
この発明はカーテン開閉装置に関し、特に、容易にカーテンの開閉が可能なカーテン開閉装置に関する。
【背景技術】
【０００２】
従来のカーテン開閉装置が、例えば、特開平１１−１１３７３４号公報（特許文献１）に開示されている。図７は特許文献１に開示されたカーテン開閉装置を示す図である。図７（Ａ）は正面図であり、図７（Ｂ）は図７（Ａ）において矢印Ｂ−Ｂで示す部分の断面図である。
【０００３】
図７を参照して、従来のカーテン開閉装置は、断面が逆Ｕ字状のカーテンレール１００を含む。カーテンレール１００は、上壁１０１と、その前後に対向した前後壁１０２ａ，１０２ｂとからなる。前壁１０２ａの下部にはランナー走行ガイド１０３が設けられ、ランナー走行ガイド１０３に沿ってランナー１０４に接続されたローラ１０５が走行する。カーテンレール１００には、断面が長方形の板自身が螺旋状にねじられ、それによって軸身自身が送りねじとして作動する板状の送り軸１０６が設けられている。ランナー１０４はモータ１０８によって軸１０６を介して駆動される１つの駆動ランナー１０４ａと、従動ランナー１０４ｂとを含み、これらのランナー１０４は図示のないカーテンを吊り下げるカーテン吊り部１０７を有する。ランナー１０４が送り軸１０６と係合する部分には送り軸１０６の断面の長方形よりわずかに寸法の大きい長方形の開口が設けられ、送り軸１０６の回転によって駆動ランナー１０４ａが移動する。駆動ランナー１０４ａは送り軸１０６と走行ガイド１０３とに係合し、カーテンレール１００に沿って往復動が可能である。従来のカーテン開閉装置においては、モータ１０８で送り軸１０６を回転し、駆動ランナー１０４ａを駆動することによってカーテンを自動で開閉することが可能であった。
【先行技術文献】
【特許文献】
【０００４】
【特許文献１】特開平１１−１１３７３４号公報
【発明の概要】
【発明が解決しようとする課題】
【０００５】
従来のカーテン開閉装置は上記のように構成されていた。しかしながら、従来のカーテン開閉装置においては、カーテンを開閉するための送り軸自身がその断面の幅が狭いねじとなっており、それがランナーの開口部と係合していたため、送り軸自身のねじとしての精度やそれに係合するランナーの開口部の形状が正確でないとランナーが送り軸の回転によって滑らかに移動できない。したがって、送り軸を精度高く作成する必要があり、カーテン開閉装置のコストがかかるという問題があった。また、経時的に送り軸が変形し、カーテンの滑らから開閉ができない虞があるという問題もあった。
【０００６】
この発明は、上記のような問題点に鑑みてなされたもので、長期間の使用に耐えるとともに、構成が簡単でかつ安価なカーテン開閉装置を提供することを目的とする。
【課題を解決するための手段】
【０００７】
この発明に係るカーテン開閉装置は、円筒状の軸と、軸の外周部に形成されたねじ部と、ねじ部に係合するねじ係合部と、軸を回転するための回転軸駆動手段とを含む。ねじ係合部にはカーテンの一部を保持するための保持部が設けられている。
【０００８】
軸の外周部に形成されたねじ部は、軸の外周部に形成された溝であってもよいし、軸の外周部に形成された突起であってもよい。
【０００９】
好ましくは、回転軸駆動手段は電動モータを含む。
【発明の効果】
【００１０】
回転可能な円筒状の軸の外周部にねじ部を形成し、ねじ部に係合するねじ係合部を設け、ねじ係合部でカーテンの一部を保持するようにしたため、円筒状の軸を回転させるだけでカーテンを移動できる。円筒状の軸の外周部に形成したねじ部を駆動部とするため、従来のように駆動部が容易に変形することはない。また、駆動部となるねじ部の形成は容易である。
【００１１】
その結果、長期間の使用に耐えるとともに、構成が簡単でかつ安価なカーテン開閉装置を提供できる。
【図面の簡単な説明】
【００１２】
【図１】この発明に係るカーテン開閉装置の原理を説明するための模式図である。
【図２】この発明の一実施の形態に係るカーテン開閉装置の正面図である。
【図３】カーテン開閉装置の一部拡大図である。
【図４】カーテン開閉装置の制御部を示すブロック図である。
【図５】カーテン開閉装置の制御部の動作を示すフローチャートである。
【図６】この発明の他の実施の形態を示す図である。
【図７】従来のカーテン開閉装置を示す図である。
【発明を実施するための形態】
【００１３】
以下、この発明の一実施の形態について図面を参照して説明する。図１はこの発明の一実施の形態に係るカーテン開閉装置の原理を説明するための斜視図である。図１を参照して、カーテン開閉装置１０は円筒状の軸１１を含む。軸１１の外周部にはねじ溝（ねじ部）１２が形成されている。カーテン開閉装置はさらに、ねじ溝１２に係合する矩形の板（ねじ係合部）１４をその内径部に有するカーテンリング１３ａと、軸１１を回転する図示のない回転駆動手段とを含む。カーテンリング１３ａにはカーテン１６の上端部を吊り下げるための輪（保持部）１５ａが設けられている。カーテン１６は、その先端部がカーテンリング１３ａに設けられた輪１５ａで支持される。カーテン１６の先端部に続く上側の端部には所定の間隔を開けて輪１５ｂ，１５ｃ,…が設けられ、これらの輪１５ｂ，１５ｃ，…は軸１１に支持された複数のカーテンリング１３ｂ，１３ｃ，…で支持されている。なお、先端部に設けられたカーテンリング１３ａのみにねじ溝１２に係合する板１４が設けられ、他のカーテンリングには板１４は設けられていない。すなわち、カーテンリング１３ａのみが駆動され、他のカーテンリングは駆動されない。
【００１４】
図１において、軸１１を図示のない回転駆動手段を用いて図中矢印Ａで示す方向に回転すると、それによってねじ溝１２に係合する板１４が移動し、それに伴ってカーテンリング１３ａが移動し、回転方向に応じて、カーテン１６は図中矢印Ｂで示す方向に移動する。したがって、カーテン１６の図示のない後端部を固定しておけば、カーテン１６の開閉が可能になる。
【００１５】
すなわち、この実施の形態においては、ねじ溝１２が形成された軸１１を回転するだけで、カーテン１６の開閉が可能になる。
【００１６】
次に、具体的な構成について説明する。図２は図１に示した原理を用いたカーテン開閉装置１０ａの全体構成を示す図である。（Ａ）は正面図であり、（Ｂ）は図２（Ａ）において、矢印Ｂ−Ｂで示す部分の矢視図である。ここでは、カーテン開閉装置１０ａは図示のない壁に設けられた壁取付金具１８ａ，１８ｂに取り付けられている。なお、ここでは、カーテン開閉装置１０ａを片開きカーテンに適用している。図示のないカーテンは図中の右側端部が所定の位置に固定され、左側端部が先端リング（図１におけるカーテンリング１３ａに対応）３１ａに設けられた輪１５ａに固定されている。
【００１７】
図２を参照して、カーテン開閉装置１０ａは、円筒状の回転可能な軸１１と、軸１１を回転するための回転駆動手段２０とを含む。軸１１の両端部１９ａ，１９ｂは軸１１よりも細い径を有する円筒状であり、軸受１７ａ，１７ｂで壁取付け金具１８ａ，１８ｂに取り付けられている。
【００１８】
軸１１の外周部材にはねじ溝１２が形成されている。このねじ溝１２に係合するように、先端ガイドリング３１ａが設けられている。先端ガイドリング３１ａはその内周部分に、図１に示した板１４と同様に、ねじ溝１２に係合する突出部分を有する。なお、この部分の構成は図１と同様にしてもよい。また、ねじ溝１２に係合しないガイドリング３１ｂ，３１ｃ，…（図１におけるカーテンリング１３ｂ，１３ｃ，…に対応）、および、先端ガイドリング３１ａやその他のガイドリング３１ｂ，３１ｃ，…の下部には、図示のないカーテンを吊り下げるための輪１５ａ，１５ｂ，１５ｃ，…が設けられているのは図１と同様である。
【００１９】
図２（Ａ）に示した軸１１の右側の端部には軸１１を回転駆動するための回転駆動手段２０が設けられている。回転駆動手段２０は、回転駆動手段２０全体を支持するためのモータベース２１と、モータベース２１に固定された軸受部２２と、軸受部２２に支持されたモータ２３と、モータ２３と同軸に設けられ、モータ２３の回転を検出する回転数センサ２４と、軸１１の一方側の端部１９ｂとモータ２３とを接続するためのカップリング２５とを含む。ここでは、モータベース２１は壁取付け金具１８ｂに取り付けられているが、別途、図示のない壁面に取り付けてもよい。
【００２０】
なお、軸１１の両端部と壁取付け金具１８ａ，１８ｂとの間に、軸１１の回転の障害にならないように、所定の隙間が設けられている。
【００２１】
図２（Ａ）に示すように、軸１１が正回転（壁取付け金具１８ａから見て右回転）するとねじ溝１２によってガイドされ、先端ガイドリング３１ａは左方向に移動し、軸１１が逆回転すると、先端ガイドリング３１ａは右方向に移動する。
【００２２】
次に、このねじ溝１２、先端ガイドリング３１ａ、および、他のガイドリング３１ｂ等との寸法関係について説明する。
【００２３】
図３は上記の関係を示す模式図である。図３を参照して、軸１１に設けられたねじ溝１２は断面が台形状である。ねじ溝１２の開口部の幅寸法はｄ１であり、底の幅寸法をｄ２とすると、ｄ１＞ｄ２である。また、先端ガイドリング３１ａは矩形の断面を有する外周部と台形の断面を有する内周部とが組み合わさった形状であり、それによって内周部に突出部分３２を形成している。また、外周部が一定の幅寸法ｄ３を有し、内周部の先端部にはｄ３より幅の狭くなった幅寸法ｄ４の突出部分３２を有する。寸法ｄ４は溝の幅寸法ｄ１より小さく、また、寸法ｄ３＞ｄ１である。したがって、先端ガイドリング３１ａはねじ溝１２に沿って移動可能である。また、ガイドリング３１ｂの断面形状は円であり、その径はｄ５である。径ｄ５は溝の幅寸法ｄ１に比べて大きくｄ５＞ｄ１×３であるのが好ましい。
【００２４】
なお、先端ガイドリング３１ａの突出部分の断面は、先端部の寸法が上記の条件を満たし、ねじ溝１２の底に当接しなければ、Ｖ字状を含む任意の形状としてもよい。また、先端部が曲率を有していてもよい。
【００２５】
次に、回転駆動手段２０について説明する。図４は回転駆動手段２０を制御する部分の構成を示すブロック図である。図４を参照して、回転駆動手段２０の制御部分は、軸１１を回転するためのモータ２３と、モータ２３の回転数を検出するための回転数センサ２４と、回転数センサ２４の検出した回転数のパルス信号をカウントするための回転数カウンタ２６と、モータ２３の回転等を制御するＣＰＵ２７と、ＣＰＵ２７に接続されカーテンの開閉を行なう開閉スイッチ２９と、ＣＰＵ２７に接続され、ＣＰＵ等に電源を供給する電源部２８とを含む。開閉スイッチ２９はカーテンの移動を停止するための停止スイッチを含む。なお、回転数カウンタ２６と、ＣＰＵ２７と、電源部２８と、開閉スイッチ２９とは図２には示していない制御部３０に設けられている。
【００２６】
ＣＰＵ２７は回転数カウンタの２６の回転数が所定の設定値になると停止信号を出力する。また、ＣＰＵ２７は、開閉スイッチ２９に応じて、モータ２３の正転、逆転、および、停止を指示する。
【００２７】
次に、制御部３０の動作について説明する。図５は、制御部３０のＣＰＵ２７の動作を示すフローチャートである。図５を参照して、開閉スイッチがＯＮされたか否かを判断する（ステップＳ１１、以下、ステップを省略する）。ここでは、カーテンが閉じられており、開スイッチがＯＮされた場合について説明する。開スイッチがＯＮされたと判断したときは（Ｓ１１でＹＥＳ）、モータ２３が逆回転方向に駆動される（Ｓ１２）。停止スイッチが押されたか否かを判断する（Ｓ１３）。押されたときは（Ｓ１３でＹＥＳ）、モータ２３の駆動を停止する（Ｓ１５）。押されなかったときは（Ｓ１３でＮＯ）、回転数カウンタの値が所定の「開」と判断される値になるまでモータ２３を駆動する（Ｓ１４，Ｓ１５）。なお、閉じるときも基本的に同じである。
【００２８】
すなわち、この実施の形態においては、カーテンが開閉するために必要な回転数が予め設定され、図示のないメモリに格納されている。したがって、ユーザは開閉スイッチ２９をＯＮするだけで、自動的にカーテンの開閉が可能になる。また、ユーザは自分の好きな位置でカーテンの移動を停止できる。
【００２９】
そのため、通常の電動カーテン開閉装置に必要なカーテンの位置を検出するためのセンサ等は必要なく安価に製造できる。
【００３０】
なお、ここでは、カーテン開閉装置を、モータで軸を回転駆動する場合について説明したが、これに限らす、軸を手動で回転してもよい。この場合はロールカーテンのように軸に紐を固定し、これを引いて軸を回転させてもよい。
【００３１】
また、この実施の形態においては、モータとモータを制御するためのＣＰＵを含むチップのみで成り立つために安価に製造が可能、駆動方式もシンプルであることから、規定の寸法を有する窓枠の長さに合わせた製品を販売すればユーザが個人で取付け可能である。
【００３２】
以上のように、この実施の形態によれば、軸１１がモータ２３により回転した場合、カーテンや先端ガイドリング３１ａ、従動ガイドリング３１ｂ，３１ｃ，…が何かで引っ掛かったり固定された場合においても、軸１１の外周に設けられたねじ溝１２より浮き上がって空転し、軸１１やモータ２３に過度の負荷がかからず、各部品の故障や破損等を防ぐことができる。
【００３３】
次に、この発明の他の実施の形態について説明する。上記実施の形態においては、カーテン開閉装置はカーテンを片開きカーテンに適用した。この実施の形態においては、カーテン開閉装置を両開きカーテンに適用する。
【００３４】
図６はこの実施の形態におけるカーテン開閉装置の全体構成を示す図４に対応する図である。図６を参照して、基本的な構成は図４に示したカーテン開閉装置と同様であるが、軸に設けられたねじ溝１２が、軸の中央部でそれぞれ逆方向に形成されている点のみが異なる。したがって、同一部分には同一の参照番号を付してその説明を省略する。
【００３５】
この実施の形態においては、軸に設けられたねじ溝１２ａ、１２ｂが中央部を境として逆向きに形成されており、中央部で対向する２つの先端ガイドリング３１ａ，３３ａをそれぞれの溝１２ａ，１２ｂに係合させることにより、軸１１を一方向に回転するだけで、先端ガイドリング３１ａ，３３ａに設けられた輪１５ａ，３５ａによって吊り下げられたカーテンの開閉が可能になる。
【００３６】
なお、上記実施の形態においては、軸にねじ溝を設けた場合について説明したが、これに限らず、軸の外周面にねじ状の突起を設け、この突起に係合する先端ガイドリングを設けてもよい。この場合は、円筒状の軸の外周に係合するばねを取付けて突起としてもよい。
【００３７】
また、同じモータを用いて、ねじ溝のピッチを変えることによってカーテンの開閉速度を容易に調整可能である。
【００３８】
また、上記実施の形態においては、横開きのカーテンに適用した場合について説明したが、これに限らず、上下方向に開閉するカーテンに用いてもよい。
【００３９】
さらに、カーテンに限らず、任意の方向に開閉するスクリーン等に用いてもよい。
【００４０】
また、カーテン開閉装置の制御部にタイマーを設け、毎日決まった時間にカーテンを開閉してもよい。
【００４１】
また、リモコンに無線発信装置を設け、制御部に無線受信装置を設け、無線で開閉信号を出力するようにし、カーテンを遠隔で制御してもよい。
【産業上の利用可能性】
【００４２】
この発明に係るカーテン開閉装置は長期間の使用に耐えるとともに、構成が簡単でかつ安価であるため、カーテン開閉装置として有利に利用される。
【符号の説明】
【００４３】
１０  カーテン開閉装置、１１  軸、１２  ねじ溝、１３  カーテンリング、１４  板、１５  輪、１６  カーテン、２０  回転駆動手段、２３  モータ、２４  回転数センサ、２６  回転数カウンタ、２７  ＣＰＵ、２９  開閉スイッチ、３０  制御部、３１  ガイドリング。
【図１】
2011206147.tif 000003
【図２】
2011206147.tif 000004
【図３】
2011206147.tif 000005
【図４】
2011206147.tif 000006
【図５】
2011206147.tif 000007
【図６】
2011206147.tif 000008
【図７】
2011206147.tif 000009